(57)【特許請求の範囲】
【請求項１】
集合住宅の集合玄関と各住戸との間で、呼び出し、通話を行なうインターホンシステムであって、
前記各住戸を呼び出し、通話を行うための呼出・通話手段、及び、前記集合玄関における所望の被写体を撮像するための撮像手段を備えた集合玄関機と、
該集合玄関機からの呼出信号及び前記各住戸との通話に係る音声信号が伝送される第１の配線網と、
テレビ共聴システムの下り回線用の信号帯域を利用して、前記各住戸に所定のテレビ信号を伝送するとともに、前記上り回線用の信号帯域を利用して、前記各住戸に前記集合玄関機からの映像信号を伝送する第２の配線網と、
前記各住戸ごとに設置され、前記第１の配線網を介して、前記集合玄関機との通話を行うとともに、前記第２の配線網を介して、前記被写体の映像を表示するインターホン端末と、
前記集合玄関機及び前記各住戸に設置されたインターホン端末間における前記呼出信号、前記音声信号及び前記映像信号の伝送を制御する制御装置と、
を備え、
前記第２の配線網は、
該第２の配線網に挿入接続されているテレビ協調システムのテレビ信号を増幅するための既存のテレビ信号用アンプの替わりに、前記上り回線用の信号帯域のみを通過させて増幅させることにより前記集合玄関機からの映像信号を増幅するアンプフィルターと、前記下り回線用の信号帯域のみを通過させることによりテレビ信号を通過させるフィルターと、該フィルターと該テレビ信号用アンプとが接続可能な接続端子とを備えたアンプフィルターユニットを挿入接続するとともに、該接続端子に該既存のテレビ信号用アンプを接続させることにより、前記各住戸に所定のテレビ信号を伝送するとともに、前記上り回線用の信号帯域を利用して、前記各住戸に前記集合玄関機からの映像信号を伝送することを特徴とするインターホンシステム。
【発明の詳細な説明】
【０００１】
【発明の属する技術分野】
本発明は、インターホンシステム及びその構築方法に関し、特に、テレビ共聴システムが併設されたマンション等の集合住宅において、各住戸で来訪者を映像により確認することができる映像機能付きのインターホンシステム及びその構築方法に関する。
【０００２】
【従来の技術】
従来、マンション等の集合住宅において、外部から特定の住戸に来訪者があった場合、集合玄関にいる来訪者の映像を当該住戸の居室内に設置されたイン夕ーホン端末に付属するモニ夕画面に表示して、住人が来訪者を視覚的に確認することができる映像機能付きのインターホンシステム（「テレビインターホン装置」等ともいう）が知られている。
【０００３】
このようなインターホンシステムを構築するためには、集合玄関と各住戸間に、音声信号（通話信号）、呼出制御信号及び映像信号等を伝送するための信号線が配設されている必要がある。具体的には、図９に示すように、カメラ１１１ａ付きの集合玄関機１１２、インターホン制御装置１４０、映像モニタ付きのインターホン端末１２２等を備えた映像機能付きのインターホンシステムを単独で構築する場合にあっては、上述したような各種の信号を、集合玄関機１１２とインターホン端末１２２間で個別に伝送するための３組のペア線からなるインターホン配線（図中では単一線で表記）ＬＮ１１が配設される。
【０００４】
一方、集合住宅にテレビ共聴システムが併設される場合にあっては、上記インターホンシステムに用いられる音声信号（通話信号）、呼出制御信号及び映像信号の一部（少なくとも映像信号）又は全部を、テレビ共聴システム用に集合住宅内に配設された配線網（同軸ケーブル）に重畳して各住戸に伝送して、各住戸のインターホン端末のモニタに表示し、来訪者と通話するシステムが知られている。このようなテレビ共聴システムの配線網を利用したインターホンシステムについては、例えば、特開昭５０−６９９１９号公報、特開平８−３１７０８７号公報、特開平９−２１４９４８号公報等に詳しく記載されている。
【０００５】
具体的には、例えば、図１０に示すように、テレビ共聴システムの同軸ケーブルを利用したインターホンシステムのうち、集合玄関１１０に設置されたカメラ１１１ｂにより撮影された来訪者の映像信号のみをテレビ共聴システムの同軸ケーブルＬＮ２１を介して各住戸１２０ａ、１２０ｂ、・・・のインターホン端末１２２の映像モニタ１２１又はテレビ受像器１２５に表示する場合にあっては、映像信号変調器１５０により映像信号を、テレビ共聴システム本来の放送チャンネル用信号（テレビ信号）として利用していない帯域、例えば、ＵＨＦ帯域の空チャンネル帯域の信号に変調して、同軸ケーブルＬＮ２０を介して、建物屋上に設けたテレビアンテナ等のテレビ信号受信設備１３０まで伝送し、テレビ信号と混合する。そして、同軸ケーブルＬＮ２１を介して、各住戸の映像信号復調器１２６に伝送する。また、集合玄関機１１２からの音声信号及び呼出制御信号は、インターホン制御装置１４０によりインターホン配線ＬＮ１２を介して各住戸１２０ａ、１２０ｂ、・・・に伝送される。
【０００６】
これにより、集合玄関１１０において、来訪者が特定の住戸（例えば、住戸１２０ａ）を呼び出すと、住戸１２０ａのインターホン端末１２２の呼出音が鳴動するとともに、同軸ケーブルＬＮ２０、ＬＮ２１を介して伝送された映像信号が映像信号復調器１２６により復調されて、インターホン端末１２２の映像モニタ１２１又はテレビ受像器１２５に来訪者の映像が表示され、当該住戸２０ａの住人は、表示された映像により来訪者を視覚的に確認することができる。さらに、当該住戸１２０ａの住人がインターホン端末１２２の受話器を取る等の操作を行うことにより、集合玄関１１０にいる来訪者との音声及び映像による通話が可能となる。
【０００７】
【発明が解決しようとする課題】
しかしながら、上述したような従来のインターホンシステムにおいては、次に示すような問題を有している。すなわち、
（１）インターホンシステム単独で映像機能を実現するためには、当該集合住宅の建設時（具体的には、インターホンシステムの施工時）に、図９に示したような音声、映像、制御の少なくとも３組のペア線からなるインターホン配線ＬＮ１１を備えた設備構成を予め構築しておく必要があるが、既存（旧来）の集合住宅の中には、建設当初において、その必要性がないと判断した場合や、映像機能付きのインターホンシステムが未開発、あるいは、設備コストが高価等の理由により、映像機能のないインターホン設備を採用した場合にあっては、３組以上のペア線からなるインターホン配線を備えていない集合住宅も多い。ここで、映像機能を備えていない、一般的な音声通話機能のみからなるインターホンシステムにおいては、インターホン配線として、映像線を備えていないため、１組又は２組のペア線が集合住宅内に配設された構成を有している。
【０００８】
ところが、近年の社会情勢の変化や治安の悪化等に伴うセキュリティの向上やプライバシーの保護等に対する住人の意識変化により、映像機能が付加されたインターホンシステムの導入や既存の音声通話機能のみからなるインターホンシステムから、映像機能付きのインターホンシステムへの機能の向上を求める要望が高まっている。
このような既存のインターホンシステムからの機能を向上のための具体的な方策としては、例えば、既存の設備構成（特に、インターホン配線）を廃棄もしくは改造して３組以上のペア線からなるインターホン配線を備えた映像機能付きのインターホンシステムを新たに構築する方法があるが、この場合、集合住宅全体に配設されたインターホン配線を設置する必要があるため、施工工事の規模、期間が極めて大掛りかつ長期間になり、加えて、多大な費用が必要になるという問題を有していた。
【０００９】
（２）また、上述したような建設当初の様々な事情等により、例えば、図１１に示すように、一般の音声通話機能のみからなるインターホンシステム（インターホン配線ＬＮ１２、集合玄関機１１２、インターホン端末１２２ｐ、インターホン制御装置１４０等）とテレビ共聴システム（同軸ケーブルＬＮ２１、テレビ受像器１２５、テレビ信号受信設備１３０等）が別個独立して併設されている集合住宅においては、図１０に示したように、集合玄関機１１２にカメラ１１１ｂを新たに設置し、来訪者の映像信号をテレビ共聴システムの同軸ケーブルＬＮ２１に重畳して伝送することにより、各住戸１２０ａ、１２０ｂ、・・・のインターホン端末１２２の映像モニタ１２１やテレビ受像器１２５により来訪者を視覚的に確認しつつ音声通話を行う構成を実現することができるが、この場合、映像信号を一旦テレビ共聴システムに適用されるテレビ信号と同等の帯域を有する信号に変調する必要があるうえ、各住戸１２０ａ、１２０ｂ、・・・側で映像信号復調器１２６等により映像信号を復調し、さらに、インターホン端末１２２のモニタ表示に適した帯域を有する信号に変換する信号処理を行う必要があるため、システム全体として信号制御や設備構成が複雑かつ大掛かりになり、システムの導入（改造）費用が増大するという問題を有していた。また、新たに同軸ケーブルＬＮ２０を、例えば、集合玄関１１０のある１階からテレビアンテナ（テレビ信号受信設備１３０）が設置されている建物の屋上まで配設する必要があり、大掛かりな作業が必要になるという問題を有していた。
【００１０】
そこで、本発明は、上述した問題点に鑑み、音声通話機能のみからなるインターホンシステムとテレビ共聴システムが別個独立して併設されている既存の集合住宅において、新たな信号線の配設を伴う大掛かりな工事を行うことなく、簡易かつ安価に映像機能付きのインターホンシステムを構築することができる機能向上方法を提供することを目的とする。
【００１１】
【課題を解決するための手段】
請求項１に係るインターホンシステムは、集合住宅の集合玄関と各住戸との間で、呼び出し、通話を行なうインターホンシステムであって、
前記各住戸を呼び出し、通話を行うための呼出・通話手段、及び、前記集合玄関における所望の被写体を撮像するための撮像手段を備えた集合玄関機と、
該集合玄関機からの呼出信号及び前記各住戸との通話に係る音声信号が伝送される第１の配線網と、
テレビ共聴システムの下り回線用の信号帯域を利用して、前記各住戸に所定のテレビ信号を伝送するとともに、前記上り回線用の信号帯域を利用して、前記各住戸に前記集合玄関機からの映像信号を伝送する第２の配線網と、
前記各住戸ごとに設置され、前記第１の配線網を介して、前記集合玄関機との通話を行うとともに、前記第２の配線網を介して、前記被写体の映像を表示するインターホン端末と、
前記集合玄関機及び前記各住戸に設置されたインターホン端末間における前記呼出信号、前記音声信号及び前記映像信号の伝送を制御する制御装置と、
を備え、
前記第２の配線網は、
該第２の配線網に挿入接続されている既存のテレビ協調システムのテレビ信号を増幅するためのテレビ信号用アンプの替わりに、前記上り回線用の信号帯域のみを通過させて増幅させることにより前記集合玄関機からの映像信号を増幅するアンプフィルターと、前記下り回線用の信号帯域のみを通過させることによりテレビ信号を通過させるフィルターと、該フィルターと該テレビ信号用アンプとが接続可能な接続端子とを備えたアンプフィルターユニットを挿入接続するとともに、該接続端子に該テレビ信号用アンプを接続させることにより、前記各住戸に所定のテレビ信号を伝送するとともに、前記上り回線用の信号帯域を利用して、前記各住戸に前記集合玄関機からの映像信号を伝送することを特徴としている。
【００１８】
すなわち、本発明に係るインターホンシステムは、マンション等の集合住宅の集合玄関と各住戸との間で、呼び出し、通話を行う音声通話型のインターホンシステムと、テレビ共聴システムが併設された集合住宅において、呼び出しや音声通話については、音声通話型のインターホンシステムを構成する２ペア線以下のインターホン配線（第１の配線網）を介して行い、来訪者等の集合玄関付近の映像の伝送については、テレビ共聴システムを構成する同軸ケーブル（第２の配線網）を介して行う。このような構成において、映像信号を同軸ケーブルを介して各住戸に伝送する際に、該映像信号をテレビ共聴システムの上り回線用の信号帯域に含まれる特定の周波数（概ね２０ＭＨｚ以下）であって、インターホン端末においてそのまま映像信号として受信することができる周波数（例えば、１２ＭＨｚ）に変換して伝送することを特徴としている。
【００１９】
これにより、テレビ共聴システムにおいて、下り回線用の信号帯域を利用して伝送されるテレビ信号と、上り回線用の信号帯域を利用して伝送される映像信号とを明確に区別して伝送することができるので、テレビ信号と映像信号の相互干渉を防止することができるとともに、各住戸側において映像信号をそのままインターホン端末で受信して所望の映像を表示することができるので、復調処理等の複雑な信号処理を行うことなく、簡易な信号制御及び設備構成で映像機能付きのインターホンシステムを構築することができる。
【００２０】
また、音声通話型のインターホンシステムと、テレビ共聴システムが別個独立して併設された既存の集合住宅において、映像機能付きのインターホンシステムを構築する場合にあっては、少なくとも、集合玄関に設置される集合玄関機に撮像手段を付加、もしくは、撮像手段を備えた集合玄関機に交換して、撮像手段により得られる映像信号を、撮像手段又は制御装置によりテレビ共聴システムの上り回線用の信号帯域に含まれる特定の周波数に変調して同軸ケーブルに伝送し、また、各住戸に設置されるインターホン端末を映像機能付きのものに交換するとともに、同軸ケーブルの配線経路中に設置された既存のブースタに当該映像信号をテレビ信号と分離して通過、増幅させる信号制御手段（第１の信号制御手段）、及び、各住戸側において映像信号をテレビ信号と分離して通過させる信号制御手段（第２の信号制御手段）を付加する比較的簡易かつ安価な設備構成及び構築作業により、既存の音声通話型のインターホンシステムを映像機能付きのインターホンシステムに機能を向上させることができる。
【００２１】
【発明の実施の形態】
以下、本発明に係るインターホンシステムについて、実施の形態を示して具体的に説明する。
図１は、本発明に係るインターホンシステムの一実施形態を示す概略構成図である。ここでは、説明の都合上、集合住宅を構成する複数の住戸のうち、１住戸のみを示して説明する。また、テレビ共聴システムを構成する同軸ケーブルには、一般に多数の分岐分配器及びアンプが接続されるが、ここでは、その一部のみを示して簡略化する。
【００２２】
図１に示すように、本実施形態に係るインターホンシステムは、大別して、集合住宅の集合玄関１０と各住戸２０間を接続するように配設された１組又は２組のペア線からなるインターホン配線（第１の配線網）ＬＮ１と、テレビアンテナ等のテレビ信号の受信設備３０と各住戸２０とを接続し、上記インターホン配線ＬＮ１と略並列的に集合住宅内に配設され同軸ケーブル（第２の配線網）ＬＮ２と、各住戸２０ごとに設けられた映像モニタ２１付きのインターホン端末（映像通話型のインターホン端末）２２及び宅内端末（第２の信号制御手段）２３と、集合玄関１０に設置されたカメラ（撮像手段）１１付きの集合玄関機１２と、集合玄関機１２からの呼出信号、音声信号及び映像信号の伝送を制御する制御装置４０と、同軸ケーブルＬＮ２の配線経路中に設けられたアンプフィルタ（第１の信号制御手段）５０と、管理室６０に設置され、制御装置４０を介して、集合玄関機１２又は各住戸２０のインターホン端末２２との音声通話等を行うための管理室親機６１と、各住戸２０の玄関に設置される玄関子機２４と、を備えて構成されている。なお、図中、同軸ケーブルＬＮ２の配線経路中には、周知の混合器ＳＭ、ブースタＳＢ、分配器ＳＤ、接続端子ＳＴ等の中継装置が適宜設けられている。また、制御装置４０は、例えば、建物の最下階において、ハイパスフィルタ及びローパスフィルタを備えた端末器６２を介して、同軸ケーブルＬＮ２の末端側に接続される。
【００２３】
以下、本実施形態に係る主要な構成について、図面を参照して詳しく説明する。
図２は、本実施形態に係るインターホンシステムに適用される映像信号の伝送時の周波数と、テレビ共聴システムに適用される信号帯域との関係を示す図であり、図３は、本実施形態に係るインターホンシステムに適用される宅内端末の一例を示す回路構成図であり、図４は、本実施形態に係る宅内端末に適用されるフィルタの帯域通過特性（フィルタ特性）を示す図である。また、図５は、本実施形態に係るインターホンシステムに適用されるアンプフィルタの一例を示す回路構成図である。
【００２４】
＜集合玄関機＞
本実施形態に適用される集合玄関機１２は、図１に示すように、インターホン配線ＬＮ１の末端に制御装置４０を介して接続され、来訪者等と特定の住戸２０の住人との映像及び音声による通話が可能な構成を有している。具体的には、集合玄関機１２は、少なくとも、来訪者等がボタン操作等を行うことにより、特定の住戸２０を呼び出して通話するための住戸呼出用のボタンや呼出ボタン（図示を省略）、スピーカ、マイク又は受話器等の通話手段と、集合玄関１０の所望の領域（具体的には、来訪者等）を撮影するためのカメラ１１が付設された構成を有している。ここで、集合玄関機１２は、カメラ１１が通話手段を有する集合玄関機１２本体に内蔵され、一体的に構成されたものであってもよいし、集合玄関機１２本体とは離間して別個の位置、例えば、天井や壁面等に独立して設置された構成を有するものであってもよい。
そして、このような集合玄関機１２において、来訪者のボタン操作等により得られる呼出信号及び音声信号、映像信号は、制御装置４０に伝送される。
【００２５】
＜制御装置＞
制御装置４０は、図１に示すように、集合玄関機１２又は管理室親機６１と、各住戸２０のインターホン端末２２との間で、インターホン配線ＬＮ１を介して伝送される呼出信号及び音声信号を制御するとともに、集合玄関機１２とインターホン端末２２との間で、同軸ケーブルＬＮ２を介して伝送される映像信号を制御する。具体的には、制御装置４０は、来訪者のボタン操作等により集合玄関機１２から特定の住戸２０に対して呼出信号が出力されると、インターホン配線ＬＮ１を介して当該特定の住戸２０のインターホン端末２２を呼び出して、集合玄関機１２と当該インターホン端末２２間での音声通話が可能な状態に集合玄関機１２及びインターホン端末２２を制御するとともに、集合玄関機１２に付設されたカメラ１１により撮影された来訪者の映像信号を同軸ケーブルＬＮ２を介して上記インターホン端末２２に伝送する。
【００２６】
ここで、同軸ケーブルＬＮ２を介して各住戸２０に伝送される映像信号は、図２に示すように、テレビ共聴システムにおけるテレビ信号の受信設備３０から各住戸２０へのテレビ信号（例えば、ＶＨＦ放送信号、ＵＨＦ放送信号等）の伝送に利用される概ね７０〜７７０ＭＨｚの下り回線用の帯域とは異なり、双方向のテレビ共聴システムにおいて各住戸２０側からテレビ共聴システムの管理センター（図示を省略）へのリクエスト信号やＣＡＴＶインターネット等の伝送に利用される概ね５５ＭＨｚ以下の上り回線用の帯域に含まれる周波数（特に、概ね５〜２０ＭＨｚ以下）であって、後述するインターホン端末２２においてそのまま映像信号として受信することにより映像モニタ２１に表示することができる特定の周波数（例えば、１２ＭＨｚ）に変換（ＦＭ変調）されて伝送される。このような映像信号の変調処理は、上述した集合玄関機１２において実行するものであってもよいし、制御装置４０において実行するものであってもよい。
【００２７】
なお、図２に示した帯域分布図において、現行の双方向のテレビ共聴システムにおいては、概ね５５ＭＨｚ以下の上り回線用の帯域のうち、管理センターへのリクエスト信号やＣＡＴＶインターネット等の伝送に利用されるのは、一般的に概ね３０〜５５ＭＨｚの帯域に設定されているので、上述したように、集合玄関機１２からの映像信号を概ね２０ＭＨｚ以下の周波数（例えば、１２ＭＨｚ）に変調して、単一の同軸ケーブルＬＮ２を介して伝送しても、テレビ信号との間で相互に影響を及ぼすことはない。また、テレビ信号受信設備３０から各住戸２０にテレビ信号のみを伝送する片方向のテレビ共聴システムにおいては、上述した下り回線用の帯域（概ね７０〜７７０ＭＨｚ）以外は、未使用の状態にあるので、上述したように、映像信号を概ね２０ＭＨｚ以下の帯域に含まれる特定の周波数に変調して同軸ケーブルＬＮ２を介して伝送しても、テレビ信号に何ら影響を与えるものではない。
【００２８】
＜インターホン端末＞
インターホン端末２２は、図１に示すように、インターホン配線ＬＮ１から分岐して各住戸２０内に引き込まれた個別のインターホン配線ＬＮ１の支線に接続され、該インターホン配線ＬＮ１を介して、集合玄関機１２又は玄関子機２４もしくは管理室親機６１との間で、住戸２０の呼出操作に係る呼出信号の受信や、受話器やスピーカ、マイク等（通話手段）を介した通話に係る音声信号の送受信等を行うとともに、制御装置４０により集合玄関機１２から同軸ケーブルＬＮ２及び宅内端末を介して、各住戸２０に伝送される集合玄関１０（具体的には、来訪者）の映像信号を受信して、付属する映像モニタ２１に表示する。
【００２９】
ここで、映像信号は、後述する宅内端末２３によりテレビ信号から分離されて、そのまま直接インターホン端末２２に入力される。したがって、本実施形態に適用されるインターホン端末２２は、インターホン配線ＬＮ１に接続される音声信号及び呼出信号用の接続端子と、宅内端末２３を介して映像信号が伝送される信号線に接続される映像信号用の接続端子と、を別個に備え、周知の音声通話機能に加えて、テレビ共聴システムにおける上り回線用の帯域に含まれる信号周波数を有する映像信号をそのまま受信して映像モニタ２１に表示する映像表示機能を備えた構成を有している。
【００３０】
＜宅内端末＞
宅内端末２３は、図１に示したように、同軸ケーブルＬＮ２から分岐分配器を介して各住戸２０内に引き込まれた同軸ケーブルＬＮ２の支線に接続され、具体的には図３に示すように、同軸ケーブルＬＮ２を介して伝送されるテレビ信号及び映像信号を、各信号の周波数に応じて分離、通過させるハイパスフィルタ（第４のフィルタ）ＦＬ４及びローパスフィルタ（第３のフィルタ）ＦＬ３と、インターホン端末２２の映像モニタ２１に対して動作電源となる電力を供給する電源ユニットＰＷ１と、を有して構成されている。なお、この宅内端末２３は、各住戸内の壁面に設けられたテレビ端子と一体的に構成したものであってもよい。
【００３１】
ここで、ハイパスフィルタＦＬ４は、図４（ａ）に示すように、概ね３０ＭＨｚ以上の帯域の信号、すなわち、図２に示した帯域分布図において、テレビ信号に適用される下り回線用の全帯域、及び、リクエスト信号やＣＡＴＶインターネット等に適用される上り回線用の帯域の一部に含まれる周波数を有する信号のみを通過させる帯域通過特性を有し、同軸ケーブルＬＮ２を介して伝送される信号からハイパスフィルタＦＬ４を介して分離、通過したテレビ信号がそのままテレビ受像器２５に送出される。
【００３２】
一方、ローパスフィルタＦＬ３は、図４（ｂ）に示すように、概ね２０ＭＨｚ以下の帯域の信号、すなわち、図２に示した帯域分布図において、リクエスト信号等に適用される上り回線用の帯域の一部に含まれる周波数を有する信号のみを通過させる帯域通過特性を有し、制御装置４０から同軸ケーブルＬＮ２を介して伝送される信号からローパスフィルタＦＬ３を介して分離、通過した映像信号がそのままインターホン端末２２に送出される。
【００３３】
なお、図３に示した宅内端末２３においては、テレビ信号と映像信号とを分離してテレビ受像器２５及びインターホン端末２２に各々伝送するハイパスフィルタＦＬ４及びローパスフィルタＦＬ３に加え、インターホン端末２２の映像モニタ２１に動作電源となる電力を供給する電源装置を備えた構成を示したが、本発明は、これに限定されるものではなく、例えば、図１に示したように、映像モニタ２１がインターホン端末２２に一体化（付設）された構成を有するものにあっては、映像モニタ２１を含むインターホン端末２２全体の動作電源を単一の電源から供給するようにしてもよいことはいうまでもない。
【００３４】
また、図３に示したように、宅内端末２３に電源ユニットＰＷ１を備え、映像モニタ２１の動作電源となる電力を供給する構成にあっては、例えば、映像モニタ２１の動作電源となる直流電圧成分に映像信号を重畳させて伝送することにより、宅内端末２３からインターホン端末２２までを単一の信号線により接続するように構成することもできる。なお、この場合は、インターホン端末２２側に直流電圧成分から映像信号を分離、抽出する構成を有している必要があることはいうまでもない。また、宅内端末２３からインターホン端末２２に電源を供給せず、別の箇所から供給する構成を有していてもよい。
【００３５】
また、このような構成を有する宅内端末は、管理室６０にも設置され（図１中、端末器６２）、制御装置４０から送出される上り回線用の帯域の一部に含まれる周波数（概ね２０ＭＨｚ以下の帯域）を有する映像信号のみをローパスフィルタ側を通して同軸ケーブルＬＮ２に伝送するとともに、テレビ信号受信設備３０から送出される下り回線用の全帯域及び上り回線用の帯域の一部に含まれる周波数（概ね３０ＭＨｚ以上の帯域）を有するテレビ信号及びリクエスト信号等のみをハイパスフィルタ側を通して、図示を省略した管理室６０内のテレビ受像器等に伝送する。
【００３６】
＜アンプフィルタ＞
アンプフィルタ５０は、図１に示したように、同軸ケーブルＬＮ２の配線経路中に必要に応じて設けられ、テレビ信号受信設備３０から各住戸２０に伝送されるテレビ信号、及び、集合玄関機１２から各住戸２０に伝送される映像信号を、各々分離して個別の伝送路において増幅する。具体的には、アンプフィルタ５０は、図５に示すように、映像信号用の信号増幅部５１と、テレビ共聴用の信号増幅部５２と、を有して構成されている。
【００３７】
ここで、映像信号用の信号増幅部５１は、図４（ｂ）に示した場合と同様に、集合玄関機１２から同軸ケーブルＬＮ２を介して各住戸２０方向に伝送される映像信号に適用される上り回線用の帯域の一部に含まれる周波数を有する信号（概ね２０ＭＨｚ以下の帯域の信号）のみを通過させる帯域通過特性を有する一対のローパスフィルタ（第１のフィルタ）ＦＬ１と、該ローパスフィルタＦＬ１間に設けられ、ローパスフィルタＦＬ１を通過した映像信号を所定の増幅率で増幅するアンプ（第１のアンプ）ＡＭ１と、を有し、映像信号の信号レベルの減衰を抑制して、各住戸２０へ伝送する。
【００３８】
また、テレビ共聴用の信号増幅部５２は、図４（ａ）に示した場合と同様に、テレビ信号受信設備３０から同軸ケーブルＬＮ２を介して各住戸２０方向に伝送されるテレビ信号に適用される下り回線用の全帯域及びリクエスト信号等に適用される上り回線用の帯域の一部に含まれる周波数を有する信号（概ね３０ＭＨｚ以上の帯域の信号）のみを通過させる帯域通過特性を有する一対のハイパスフィルタ（第２のフィルタ）ＦＬ２と、該ハイパスフィルタＦＬ２間に設けられ、ハイパスフィルタＦＬ２を通過したテレビ信号及びリクエスト信号等を所定の増幅率で増幅する双方向アンプ（第２のアンプ）ＡＭ２と、を有し、テレビ信号及びリクエスト信号等の信号レベルの減衰を抑制して、各住戸２０又は管理センターへ伝送する。なお、双方向アンプＡＭ２の具体的な構成については、後述する。
【００３９】
次に、上述したような構成を有するインターホンシステムにより実行される動作について説明する。
上述したような構成を有するインターホンシステムにおいて、来訪者が集合玄関機１２に対して、特定の住戸２０を呼び出す操作を行うと、該呼出信号が制御装置４０を介してインターホン配線ＬＮ１に送出され、上記特定の住戸２０のインターホン端末２２が呼び出される。このとき、集合玄関機１２に内蔵されたカメラ１１により撮像された来訪者の映像信号が、テレビ共聴システムの上り回線用の帯域に含まれる周波数（概ね２０ＭＨｚ以下の帯域、例えば１２ＭＨｚ）を有する信号に変換されて、制御装置４０及び同軸ケーブルＬＮ２、アンプフィルタ５０（映像信号用の信号増幅部５１）を介して住戸２０に伝送され、当該住戸２０に設置された宅内端末２３（ローパスフィルタＦＬ３）により映像信号のみを分離、抽出してインターホン端末２２に入力する。そして、制御装置４０からの呼出信号を受信した住戸のインターホン端末２２の映像モニタ２１にのみ来訪者の映像が表示される。これにより、当該住戸２０の住人は、来訪者を確認した上で、インターホン端末２２の受話機を取ることにより、インターホン端末２２を介して音声による通話が可能な状態となる。
【００４０】
一方、テレビ信号受信設備３０から送出されるテレビ信号は、テレビ共聴システムの下り回線用の帯域に含まれる周波数（概ね７０ＭＨｚ以上の帯域）を有する信号に変換されて、同軸ケーブルＬＮ２、ブースタＳＢ及びアンプフィルタ５０（テレビ共聴用の信号増幅部）を介して各住戸２０に伝送され、当該住戸２０に設置された宅内端末２３（ハイパスフィルタＦＬ４）によりテレビ信号のみを分離、抽出してテレビ受像器２５に入力することにより、所望のテレビ放送番組が放映される。なお、このようなテレビ信号の伝送に加えて、各住戸２０から管理センターへリクエスト信号等を伝送する双方向のテレビ共聴システムを構成する場合にあっては、該リクエスト信号等は、テレビ共聴システムの上り回線用の帯域に含まれる周波数（概ね３０〜５５ＭＨｚの帯域）を有する信号に変換されて、同軸ケーブルＬＮ２及びアンプフィルタ５０（テレビ共聴用の信号増幅部５２）を介して管理センターに伝送される。
【００４１】
したがって、テレビ共聴システムを構成する同軸ケーブルを利用してインターホンシステムの映像信号を伝送する場合であっても、映像信号をテレビ共聴システムの上り回線用の帯域のうち、未使用の帯域に含まれる特定の周波数に変換して伝送することにより、テレビ信号に適用される信号帯域と明確に区分して伝送することができるので、テレビ信号と映像信号の相互干渉を防止することができる。また、映像信号をインターホン端末が受信できる上り信号帯域の周波数で伝送する構成を適用することにより、各住戸側において復調器等の設備構成を必要とすることなく、簡易な構成のフィルタにより映像信号を分離して、そのままインターホン端末に入力することにより、来訪者の映像を表示することができるので、簡易な信号制御及び設備構成で映像機能付きのインターホンシステムを実現することができる。
【００４２】
次に、本実施形態に係るインターホンシステムの構築方法（既存の音声通話型のインターホンシステムの機能向上方法）について説明する。ここでは、既存の集合住宅において、図１１に示したように、１組又は２組のペア線からなるインターホン配線を備えた音声通話型のインターホンシステムと、同軸ケーブルを備えたテレビ共聴システムが別個独立して併設された構成を有している場合について説明する。
図６は、本実施形態に係るインターホンシステムに適用されるアンプフィルタの構築方法の一例を示す回路構成図であり、図７は、テレビ共聴システムに適用される既存のブースタの構成を示す回路構成図であり、図８は、既存のブースタに適用されるフィルタの帯域通過特性（フィルタ特性）を示す図である。
【００４３】
このような構成を有する集合住宅のインターホンシステムにおいて、少なくとも、音声通話にのみ対応した集合玄関機及びインターホン端末を映像機能付きの構成に交換するとともに、同軸ケーブルＬＮ２の配線経路中に宅内端末２３及びアンプフィルタ５０を設け、さらに、インターホン配線ＬＮ１及び同軸ケーブルＬＮ２を介して伝送される各種信号（呼出信号、音声信号、映像信号）を制御する制御装置４０を設置することにより、図１に示したような映像機能付きのインターホンシステムを実現することができる。
【００４４】
具体的には、集合玄関１０に設置される集合玄関機においては、カメラ内蔵型の集合玄関機１２に交換するか、もしくは、既存の集合玄関機とは別個にカメラ１１を新たに設けることにより、来訪者等を撮像して映像信号を送出することができ、映像機能付きのインターホンシステムに対応することができる。また、各住戸２０に設置されるインターホン端末においては、上述した実施形態に示したような映像モニタ２１が付設された映像通話型のインターホン端末２２に交換することにより、来訪者等の映像を映像モニタ２１に表示することができ、映像機能付きのインターホンシステムに対応することができる。
【００４５】
ここで、現在、市販又は実用化されている映像機能付インターホンシステムにおいては、インターホン配線として、例えば、３組以上のペア配線を介して、最大２０ＭＨｚ以下の帯域を利用して映像信号、音声信号及び呼出信号を伝送する仕様が採用されている。より具体的には、映像信号をＦＭ変調により、例えば、概ね１２ＭＨｚ付近の帯域の信号に変換して伝送する手法が採用されている。
したがって、集合玄関機もしくは制御装置により、来訪者等の映像信号を概ね１２ＭＨｚの周波数を有する信号に変換して伝送し、現行の映像機能付インターホンシステムの信号仕様に対応した映像通話型のインターホン端末にそのまま入力することにより、映像信号の復調処理等を行うことなく、映像モニタに来訪者の映像を表示することができる。
【００４６】
また、同軸ケーブルＬＮ２の配線経路中に設置されるアンプフィルタ５０は、図１１に示すように、既存のテレビ共聴システムの配線経路中に本来設置されているブースタを機能追加することにより、映像信号を同軸ケーブルＬＮ２を介して伝送することが可能となる。すなわち、既存のテレビ共聴システムにおいては、図６（ａ）に示すように、同軸ケーブルＬＮ２の配線経路中に、テレビ信号等の減衰を抑制するためのブースタＳＢ（図６（ａ）においては、双方向アンプ）が設けられている。
【００４７】
ここで、既存のブースタＳＢは、図７に示すように、概略、テレビ信号受信設備３０から同軸ケーブルＬＮ２を介して各住戸２０方向に伝送されるテレビ信号に適用される下り回線用の帯域に含まれる周波数を有する信号（概ね７０〜７７０ＭＨｚの帯域の信号）のみを通過させる帯域通過特性（図８（ａ））を有する一対のバンドパスフィルタＦＬ５と、該バンドパスフィルタＦＬ５間に設けられ、テレビ信号（下り回線の信号）を所定の増幅率で増幅するアンプＡＭ５と、各住戸２０から管理センタへのリクエスト信号やＣＡＴＶインターネット等に適用される上り回線用の帯域の一部に含まれる周波数を有する信号（例えば、３０〜５５ＭＨｚの帯域の信号）のみを通過させる帯域通過特性（図８（ｂ））を有する一対のバンドパスフィルタＦＬ６と、該バンドパスフィルタＦＬ６間に設けられ、リクエスト信号等（上り回線の信号）を所定の増幅率で増幅するアンプＡＭ６と、を有し、テレビ信号及びリクエスト信号等を個別の信号増幅部により増幅して信号レベルの減衰を抑制し、各住戸２０又は管理センターへ伝送する。
【００４８】
このような構成を有する既存のブースタＳＢに対して、図６（ｂ）に示すように、一対のローパスフィルタ（第１のフィルタ）ＦＬ１とアンプ（第１のアンプ）ＡＭ１からなる映像信号用の信号増幅部、一対のハイパスフィルタ（第２のフィルタ）ＦＬ２、及び、電源ユニットＰＷ２を備えた改造ユニット５３を同軸ケーブルＬＮ２の配線経路中に差し替えて端子接続し、さらに、一対のハイパスフィルタＦＬ２間に既存のブースタＳＢを端子接続することにより、上述した実施形態に示したアンプフィルタ５０（図５参照）と同等の構成及び機能を実現することができる。このとき、既存のブースタＳＢは、本発明における第２のアンプを構成することになる。
さらに、宅内端末２３を各住戸２０及び管理室６０に設置して同軸ケーブルＬＮ２に接続して、上り回線用の帯域に含まれる周波数に変換された映像信号を集合玄関１０から各住戸２０に伝送し、テレビ信号と分離して、インターホン端末２２に送出することにより、図１に示したような映像機能付きのインターホンシステムが構築される。
【００４９】
したがって、音声通話機能のみを備えたインターホンシステムとテレビ共聴システムが別個独立して併設された集合住宅において、配線網の追加等の大掛かりな工事を伴うことなく、システムの端末装置（集合玄関機、インターホン端末等）や中継装置（ブースタや宅内端末等）を交換、追加する比較的簡易かつ安価な設備構成及び構築作業のみで、既存の音声通話機能のみのインターホンシステムを映像機能付きのインターホンシステムに機能を向上させることができる。
なお、図６においては、既存のブースタＳＢを再利用する構成について示したが、本発明はこれに限定されるものではなく、図５に示したアンプフィルタに取り換えるものであってもよい。
【００５０】
また、本実施形態において示した数値は、適用可能な一例を示したにすぎず、本発明はこの限定を受けるものではなく、特に映像信号の周波数は、上り帯域に含まれて他の信号に影響を及ぼさない周波数であれば良好に適用することができる。また、同軸ケーブルＬＮ２に伝送する映像信号が既存のブースタＳＢの上りアンプの周波数帯域に含まれる場合には、別途、映像信号用のアンプを設ける必要がなく、既存のブースタで映像信号の増幅を行うことができる。また、図５のアンプフィルタ５０において、映像信号のみを増幅するだけでよい場合には、双方向増幅器ＡＭ２を設けず、ハイパスフィルタＦＬ２を通過する信号はそのままパスされるアンプフィルタを構成してもよい。
【００５１】
【発明の効果】
本発明に係るインターホンシステムによれば、マンション等の集合住宅の集合玄関と各住戸との間で、呼び出し、通話を行う音声通話型のインターホンシステムと、テレビ共聴システムが併設された集合住宅において、呼び出しや音声通話については、音声通話型のインターホンシステムを構成する既存のインターホン配線を介して行い、来訪者等の集合玄関付近の映像の伝送については、該映像信号をテレビ共聴システムの上り回線用の信号帯域に含まれる特定の周波数に変換して、テレビ共聴システムを構成する同軸ケーブルを介して各住戸に伝送することにより、テレビ共聴システムにおいて、下り回線用の信号帯域を利用して伝送されるテレビ信号と、上り回線用の信号帯域を利用して伝送される映像信号とを明確に区別して伝送することができるので、テレビ信号と映像信号の相互干渉を防止することができる。また、映像信号をインターホン端末が受信できる上り信号帯域の周波数で伝送する構成を適用することにより、各住戸側において映像信号をそのままインターホン端末で受信して所望の映像を表示することができるので、復調処理等の複雑な信号処理を行うことなく、簡易な信号制御及び設備構成で映像機能付きのインターホンシステムを実現することができる。
【００５２】
また、音声通話機能のみを備えたインターホンシステムとテレビ共聴システムが別個独立して併設された集合住宅において、映像機能付きのインターホンシステムを構築する場合にあっては、配線網の追加等の大掛かりな工事を伴うことなく、システムの端末装置（集合玄関機、インターホン端末等）や中継装置（ブースタや宅内端末等）を交換、追加する比較的簡易かつ安価な設備構成及び構築作業のみで、既存の音声通話機能のみのインターホンシステムを映像機能付きのインターホンシステムに機能を向上させることができる。
【図面の簡単な説明】
【図１】本発明に係るインターホンシステムの一実施形態を示す概略構成図である。
【図２】本実施形態に係るインターホンシステムに適用される映像信号の伝送時の周波数と、テレビ共聴システムに適用される信号帯域との関係を示す図である。
【図３】本実施形態に係るインターホンシステムに適用される宅内端末の一例を示す回路構成図である。
【図４】本実施形態に係る宅内端末に適用されるフィルタの帯域通過特性（フィルタ特性）を示す図である。
【図５】本実施形態に係るインターホンシステムに適用されるアンプフィルタの一例を示す回路構成図である。
【図６】本実施形態に係るインターホンシステムに適用されるアンプフィルタの構築方法の一例を示す回路構成図である。
【図７】テレビ共聴システムに適用される既存のブースタの構成を示す回路構成図である。
【図８】既存のブースタに適用されるフィルタの帯域通過特性（フィルタ特性）を示す図である。
【図９】従来技術における映像機能付きのインターホンシステムの第１の例を示す概略構成図である。
【図１０】従来技術における映像機能付きのインターホンシステムの第２の例を示す概略構成図である。
【図１１】音声通話機能のみからなるインターホンシステムとテレビ共聴システムが別個独立して併設されている集合住宅における問題点を説明するための図である。
【符号の説明】
１０        集合玄関
１１        カメラ
１２        集合玄関機
２０        住戸
２１        映像モニタ
２２        インターホン端末
２３        宅内端末
３０        テレビ信号受信設備
４０        制御装置
５０        アンプフィルタ
６０        管理室
【図１】
0003850269.tif 000002
【図２】
0003850269.tif 000003
【図３】
0003850269.tif 000004
【図４】
0003850269.tif 000005
【図５】
0003850269.tif 000006
【図６】
0003850269.tif 000007
【図７】
0003850269.tif 000008
【図８】
0003850269.tif 000009
【図９】
0003850269.tif 000010
【図１０】
0003850269.tif 000011
【図１１】
0003850269.tif 000012